(57)【特許請求の範囲】
【請求項１】
左右一対のヘッドバンドのそれぞれの一端部に設けた連結部により開脚可能に連結してなるヘッドホン装置であって、
各ヘッドバンドには、連結部と反対側の端部に支持アームが回動自在に取り付けられていて、該支持アームにはスピーカユニットを内蔵したハウジングがスライド自在に取り付けられており、
右側のヘッドバンドの連結部は、先端部に形成された段部と、この段部より突出して外周面が略円弧状に形成された連結突部と、この連結突部の外周面に形成された係止突部を有し、
左側のヘッドバンドの連結部は、上記右側のヘッドバンドの連結部の段部に突き当てられる先端部と、この先端部より突出して形成され、上記右側のヘッドバンドの連結部の連結突部に対して回動可能に連結される外周面が略円弧状の連結突部と、上記右側のヘッドバンドの連結部の連結突部の外周面に摺動する弾性片とを有し、
上記左右一対のヘッドバンドは開脚時、上記右側のヘッドバンドの連結部に形成された段部に、上記左側のヘッドバンドの連結部に形成された先端部が突き当てられ、上記左側のヘッドバンドの連結部に形成された弾性片は、弾性変位することによって、上記右側のヘッドバンドの連結部の連結突部外周面に形成された係止突部を乗り越え、この係止突部に係止されることにより開脚状態に維持されることを特徴とするヘッドホン装置。
【請求項２】
左右一対のヘッドバンドのそれぞれの一端部に設けた連結部により開脚可能に連結してなるヘッドホン装置であって、
各ヘッドバンドには、連結部と反対側の端部に支持アームが回動自在に取り付けられていて、該支持アームにはスピーカユニットを内蔵したハウジングがスライド自在に取り付けられており、
右側のヘッドバンドの連結部は、先端部に形成された段部と、この段部より突出して外周面が略円弧状に形成されるとともに変位空間部が設けられて外周面が弾性体とされ、この弾性体とされた外周面に係止突部が形成された連結突部を有し、
左側のヘッドバンドの連結部は、上記右側のヘッドバンドの連結部の段部に突き当てられる先端部と、この先端部より突出して形成され、上記右側のヘッドバンドの連結部の連結突部に対して回動可能に連結される外周面が略円弧状の連結突部と、上記右側のヘッドバンドの連結部の連結突部の外周面に摺動する係止突片とを有し、
上記左右一対のヘッドバンドは開脚時、上記右側のヘッドバンドの連結部に形成された段部に上記左側のヘッドバンドの連結部に形成された先端部が突き当てられ、上記左側のヘッドバンドの連結部に形成された係止突片は、上記右側のヘッドバンドの連結部の連結突部の弾性体に形成された係止突部を押圧し、弾性体を変位空間部側に弾性変位させることによって係止突部を乗り越え、この係止突部に係止されることにより開脚状態に維持されることを特徴とするヘッドホン装置。
【発明の詳細な説明】
【０００１】
【発明の属する技術分野】
本発明は、一対のスピーカユニットを有し、これらスピーカユニットを耳甲介に支持させて音響再生を行うヘッドホン装置に関する。
【０００２】
【従来の技術】
従来、ヘッドホン装置は、スピーカユニットが内蔵された一対のハウジングと、このハウジングを連結する逆Ｕ字状のヘッドバンドとを備えている。このヘッドホン装置は、ヘッドバンドをユーザーの頭部へ装着させ、ハウジングを両耳甲介に対応させて使用される。このとき、ハウジングは、それぞれのスピーカユニットを耳甲介に対向させている。
【０００３】
ところで、ヘッドホン装置は、テープレコーダを屋外で使用する場合には携帯されることが多い。ヘッドホン装置は、携帯する際に、嵩張ったり、他の荷物によって押し潰されたりするといった問題点があった。
【０００４】
この問題点を解決する手段としては、携帯時に折り畳まれるヘッドホン装置が提案されている。このヘッドホン装置は、スピーカユニットが内蔵された一対のハウジングと、これら一対のハウジングを回動自在に支持する逆Ｕ字状の一対のヘッドバンドとを備えている。一対のヘッドバンドは、一端部が互いに連結されている。
【０００５】
したがって、このヘッドホン装置は、一対のハウジングが一対のヘッドバンドに対して内方にそれぞれ閉脚操作されるとともに、一対のヘッドバンドが閉脚操作されて、折り畳まれる。
【０００６】
【発明が解決しようとする課題】
ところで、このヘッドホン装置は、一対のヘッドバンドの一端部を互いに連結させる一対の連結部が、一対のヘッドバンドにそれぞれ設けられている。これら一対の連結部は、中央に支軸が挿通する軸穴がそれぞれ穿設されている。一対のヘッドバンドは、それぞれの連結部の軸穴に支軸を挿通して互いに回動自在に連結されている。
【０００７】
このため、ヘッドホン装置は、ユーザーが頭部に装着する際に、一対のヘッドバンドが互いに回動して閉脚してしまい、展開された状態を確保することができなくなる。したがって、このヘッドホン装置は、容易に装着することが困難であるといった問題点があった。
【０００８】
この問題点を解決する手段としては、上記連結部に構成部品を追加してクリック機構を備えたヘッドホン装置が提案されている。しかしながら、このクリック機構を備えたヘッドホン装置は、クリック機構の構成が複雑であり、構成部品の数量も多くなり、生産効率が悪い。また、このヘッドホン装置は、構成が複雑であるため、小型化及び軽量化が困難とされるといった問題点があった。
【０００９】
さらに、このヘッドホン装置では、クリック機構をヘッドバンドの内部に備えると、ヘッドバンドを比較的大きく形成する必要があるため、薄型化が困難とされるといった問題点があった。
【００１０】
そこで、本発明は、展開された状態を確保することができ、装着の容易化を図るとともに、小型化及び軽量化を図るヘッドホン装置を提供することを目的に提案されたものである。
【００１１】
【課題を解決するための手段】
この目的を達成した本発明に係るヘッドホン装置は、左右一対のヘッドバンドのそれぞれの一端部に設けた連結部により開脚可能に連結してなり、各ヘッドバンドには、連結部と反対側の端部に支持アームが回動自在に取り付けられていて、該支持アームにはスピーカユニットを内蔵したハウジングがスライド自在に取り付けられており、右側のヘッドバンドの連結部は、先端部に形成された段部と、この段部より突出して外周面が略円弧状に形成された連結突部と、この連結突部の外周面に形成された係止突部を有し、左側のヘッドバンドの連結部は、上記右側のヘッドバンドの連結部の段部に突き当てられる先端部と、この先端部より突出して形成され、上記右側のヘッドバンドの連結部の連結突部に対して回動可能に連結される外周面が略円弧状の連結突部と、上記右側のヘッドバンドの連結部の連結突部の外周面に摺動する弾性片とを有し、上記左右一対のヘッドバンドは開脚時、上記右側のヘッドバンドの連結部に形成された段部に、上記左側のヘッドバンドの連結部に形成された先端部が突き当てられ、上記左側のヘッドバンドの連結部に形成された弾性片は、弾性変位することによって、上記右側のヘッドバンドの連結部の連結突部外周面に形成された係止突部を乗り越え、この係止突部に係止されることにより開脚状態に維持される。
【００１２】
また、上記目的を達成した本発明に係るヘッドホン装置は、左右一対のヘッドバンドのそれぞれの一端部に設けた連結部により開脚可能に連結してなり、各ヘッドバンドには、連結部と反対側の端部に支持アームが回動自在に取り付けられていて、該支持アームにはスピーカユニットを内蔵したハウジングがスライド自在に取り付けられており、右側のヘッドバンドの連結部は、先端部に形成された段部と、この段部より突出して外周面が略円弧状に形成されるとともに変位空間部が設けられて外周面が弾性体とされ、この弾性体とされた外周面に係止突部が形成された連結突部を有し、左側のヘッドバンドの連結部は、上記右側のヘッドバンドの連結部の段部に突き当てられる先端部と、この先端部より突出して形成され、上記右側のヘッドバンドの連結部の連結突部に対して回動可能に連結される外周面が略円弧状の連結突部と、上記右側のヘッドバンドの連結部の連結突部の外周面に摺動する係止突片とを有し、上記左右一対のヘッドバンドは開脚時、上記右側のヘッドバンドの連結部に形成された段部に上記左側のヘッドバンドの連結部に形成された先端部が突き当てられ、上記左側のヘッドバンドの連結部に形成された係止突片は、上記右側のヘッドバンドの連結部の連結突部の弾性体に形成された係止突部を押圧し、弾性体を変位空間部側に弾性変位させることによって係止突部を乗り越え、この係止突部に係止されることにより開脚状態に維持される。
【００１３】
以上のように構成された本発明に係るヘッドホン装置においては、展開された状態で頭部に装着される。このとき、一対のヘッドバンドは、開脚操作される。
【００１４】
【発明の実施の形態】
以下、本発明の具体的な実施の形態について、図面を参照して詳細に説明する。本発明の第１の実施の形態として示すヘッドホン装置１は、図１乃至図１３に示すように、スピーカユニットが内蔵された左右一対のハウジング２Ａ、２Ｂと、これら一対のハウジング２Ａ、２Ｂに一体に形成された左右一対のホルダ３Ａ、３Ｂと、これら一対のホルダ３Ａ、３Ｂをスライド動作自在に支持する左右一対の支持アーム４Ａ、４Ｂと、これら一対の支持アーム４Ａ、４Ｂを回動自在に支持する逆Ｕ字状の左右一対のヘッドバンド５Ａ、５Ｂとを備えている。
【００１５】
一対のハウジング２Ａ、２Ｂは、図１に示すように、合成樹脂材料や金属等により、略半球形状に形成されている。また、一対のハウジング２Ａ、２Ｂは、耳甲介に進入するに足る大きさとされている。一対のハウジング２Ａ、２Ｂの内部には、図示しないがスピーカユニットが収納されている。このスピーカユニットには、接続コード２８Ａの一端部が接続されている。この接続コード２８Ａは、図２に示すように、一対のハウジング２Ａ、２Ｂに設けられた接続コード開口部２９から外方に露呈されている。接続コード２８Ａは、他端部が接続端子２８Ｂに接続されている。
【００１６】
一対のホルダ３Ａ、３Ｂは、図１に示すように、一対のハウジング２Ａ、２Ｂの上方側に位置して一対のハウジング２Ａ、２Ｂに対して一体に形成されている。一対のホルダ３Ａ、３Ｂは、合成樹脂材料等により略円筒状に形成されている。一対のホルダ３Ａ、３Ｂには、相対向する面を開放した支持アーム開口部６が開設されている。これら一対のホルダ３Ａ、３Ｂの内部には、図３に示すように、一方内面の高さ方向に亘って、多数個の凹凸により構成される高さ調整凹凸部７が形成されている。
【００１７】
一対の支持アーム４Ａ、４Ｂは、図１に示すように、一対のホルダ３Ａ、３Ｂの内部に位置して、一対のホルダ３Ａ、３Ｂをスライド動作自在に支持している。一対の支持アーム４Ａ、４Ｂは、合成樹脂材料等により、略長板状に形成されている。一対の支持アーム４Ａ、４Ｂは、一対のホルダ３Ａ、３Ｂの内部の長さ寸法よりやや小とされた長さ寸法を有している。また、一対の支持アーム４Ａ、４Ｂは、一対のホルダ３Ａ、３Ｂの内径寸法よりやや小とされた直径寸法を有している。
【００１８】
一対の支持アーム４Ａ、４Ｂは、図３に示すように、一対のホルダ３Ａ、３Ｂ側の一端部が長突起片８と短突起片９との二股に分岐して形成されている。この長突起片８の先端部には、一対のホルダ３Ａ、３Ｂの高さ調整凹凸部７に係合する高さ調整係合凸部１０が一体に突出形成されている。また、長突起片８の基端部には、一対のホルダ３Ａ、３Ｂが引き出された状態で、一対のホルダ３Ａ、３Ｂの支持アーム開口部６の短縁に係止する抜け止め係止凸部１１が一体に突出形成されている。一対の支持アーム４Ａ、４Ｂは、他端部の断面形状が略半円状に形成されている。この他端部の中央には、支軸１２が挿通する軸穴１３が穿設されている。また、一対の支持アーム４Ａ、４Ｂは、他端部の軸穴１３の近傍に係合溝１４が設けられている。
【００１９】
一対のヘッドバンド５Ａ、５Ｂは、図１に示すように、一対の支持アーム４Ａ、４Ｂの上方側に位置して設けられて互いに連結されて構成されている。一対のヘッドバンド５Ａ、５Ｂは、図２に示すように、合成樹脂材料等により略円弧状に湾曲されて形成されている。また、一対のヘッドバンド５Ａ、５Ｂは、断面形状が偏平な略コ字状に形成されている。一対のヘッドバンド５Ａ、５Ｂは、図３に示すように、一端部に上記支軸１２が挿通する軸穴１５が穿設されている。この軸穴１５は、これら一対の支持アーム４Ａ、４Ｂの他端部に穿設された軸穴１３の穴径寸法と略等しい穴径寸法を有している。一対のヘッドバンド５Ａ、５Ｂは、一端部と一対の支持アーム４Ａ、４Ｂの他端部の軸穴１３に支軸１２を挿通して、一対の支持アーム４Ａ、４Ｂを回動自在にそれぞれ支持している。
【００２０】
一対のヘッドバンド５Ａ、５Ｂの一端部には、図３に示すように、一対の支持アーム４Ａ、４Ｂの他端部の係合溝１４に係合する係合凸部１６が一体に突出形成されている。この係合凸部１６は、ヘッドホン装置１を頭部に装着して使用する際に、一対の支持アーム４Ａ、４Ｂを一対のヘッドバンド５Ａ、５Ｂに対して開脚した状態に支持する。
【００２１】
一対のヘッドバンド５Ａ、５Ｂは、図１に示すように、他端部が二股にそれぞれ分岐して全体形状を略Ｙ字状としている。一対のヘッドバンド５Ａ、５Ｂは、互いに連結した状態で、それぞれ二股に分岐した他端部によって構成するハウジング進入開口部１７を有している。
【００２２】
右ヘッドバンド５Ｂは、図４に示すように、この二股に分岐した他端部に互いに同形状の右連結部１８が一体に形成されている。この右連結部１８は、図５に示すように、右ヘッドバンド５Ｂの先端部の中央から下方に向かって一体に突出形成された右連結突部１９を有している。この右連結突部１９は、図６に示すように、先端部の断面形状が略半円状に形成されている。この右連結突部１９は、中央に支軸２０が挿通する軸穴２１が穿設されている。また、右連結突部１９には、図６に示すように、外周面の先端部に係止突部２２が幅方向に亘って一体に突出形成されている。
【００２３】
また、左ヘッドバンド５Ａは、図４に示すように、この二股に分岐した他端部に互いに同形状の左連結部２３が一体に形成されている。この左連結部２３は、図７に示すように、左ヘッドバンド５Ａの先端部の両端から下方に向かってそれぞれ一体に突出形成された一対の左連結突部２４Ａ、２４Ｂを有している。これら一対の左連結突部２４Ａ、２４Ｂは、図８に示すように、先端部の断面形状が略半円状に形成されている。これら一対の左連結突部２４Ａ、２４Ｂは、中央に上記支軸２０が挿通する軸穴２５が穿設されている。この軸穴２５は、右ヘッドバンド５Ｂの右連結部１８に穿設された軸穴２１の穴径寸法と略等しい穴径寸法を有している。
【００２４】
また、この左連結部２３は、図８に示すように、一対の左連結突部２４Ａ、２４Ｂの間から下方に向かって一体に突出形成された弾性片２６を有している。この弾性片２６は、先端部が、右連結部１８の係止突部２２によって上下方向に弾性変位される。また、左ヘッドバンド５Ａは、他端部の下方側に、右ヘッドバンド５Ｂの係止突部２２を退避させて摩耗から防止する退避溝２７が設けられている。
【００２５】
右ヘッドバンド５Ｂと左ヘッドバンド５Ａとは、図４に示すように、右連結突部１９を一対の左連結突部２４Ａ、２４Ｂの間に差し込み、右連結突部１９の軸穴２１と一対の左連結突部２４Ａ、２４Ｂの軸穴２５、２５に支軸２０を挿通して互いに回動自在に連結される。このとき、左連結部２３の弾性片２６は、右連結部１８を構成する右連結突部１９の外周面に接触している。
【００２６】
なお、支軸２０は、右連結突部１９或いは左連結突部２４Ａ、２４Ｂのいずれか一方に一体に形成されてもよい。
【００２７】
以上のように構成された第１の実施の形態ヘッドホン装置１は、展開された状態で頭部に装着される。このとき、一対のヘッドバンド５Ａ、５Ｂは、図９中に矢印Ｍで示すように、開脚操作される。左連結部２３の弾性片２６は、右連結部１８の右連結突部１９の外周面を摺動される。
【００２８】
このとき、左連結部２３の弾性片２６は、図１０に示すように、右連結部１８の係止突部２２により押圧される。この弾性片２６は、弾性変位され、右連結部１８の係止突部２２を回避する方向に移動する。左連結部２３の弾性片２６は、図１１に示すように、右連結部１８の係止突部２２により規制される。このとき、右連結部１８の段部４３と左連結部２３の先端部４２は突き当たり、この状態で、一対のヘッドバンド５Ａ、５Ｂは、開脚した状態に支持される。
【００２９】
そして、一対の支持アーム４Ａ、４Ｂは、一対のヘッドバンド５Ａ、５Ｂに対して外方に開脚操作される。このとき、一対のハウジング２Ａ、２Ｂは、一対のヘッドバンド５Ａ、５Ｂのハウジング進入開口部１７から退避される。一対の支持アーム４Ａ、４Ｂは、係合溝１４が一対のヘッドバンド５Ａ、５Ｂの係合凸部１６により規制される。この状態で、一対の支持アーム４Ａ、４Ｂは、一対のヘッドバンド５Ａ、５Ｂに対して開脚した状態に支持される。そして、ヘッドホン装置１は、図２に示すように、展開された状態とされる。
【００３０】
ヘッドホン装置１は、頭部に装着される。このとき、一対のホルダ３Ａ、３Ｂは、一対の支持アーム４Ａ、４Ｂを下方にスライド操作される。一対のホルダ３Ａ、３Ｂは、高さ調整凹凸部７に一対の支持アーム４Ａ、４Ｂの高さ調整係合凸部１０が係合して、ユーザーの耳甲介の高さに適度に調整される。そして、一対のハウジング２Ａ、２Ｂは、ユーザーの耳甲介に進入される。
【００３１】
また、このヘッドホン装置１は、折り畳まれた状態で携帯される。このとき、一対のホルダ３Ａ、３Ｂは、一対の支持アーム４Ａ、４Ｂに対してスライド操作されて、一対のヘッドバンド５Ａ、５Ｂの一端部に接触される。一対の支持アーム４Ａ、４Ｂは、一対のヘッドバンド５Ａ、５Ｂに対して内方に閉脚操作される。このとき、一対の支持アーム４Ａ、４Ｂは、係合溝１４が一対のヘッドバンド５Ａ、５Ｂの係合凸部１６による規制から解除される。そして、一対のハウジング２Ａ、２Ｂは、一対のヘッドバンド５Ａ、５Ｂのハウジング進入開口部１７に進入される。
【００３２】
この状態で、一対のヘッドバンド５Ａ、５Ｂは、図１１中に矢印Ｎで示すように、閉脚操作される。このとき、左連結部２３の弾性片２６は、図１２に示すように、右連結部１８の右連結突部１９の外周面を摺動される。
【００３３】
左連結部２３の弾性片２６は、右連結部１８の係止突部２２により押圧される。この弾性片２６は、弾性変位され、右連結部１８の係止突部２２を回避する方向に移動する。左連結部２３の弾性片２６は、右連結部１８の係止突部２２による規制から解除される。右連結部１８の係止突部２２は、左連結部２３の退避溝２７に退避される。そして、ヘッドホン装置１は、図１３に示すように、折り畳まれた状態とされる。
【００３４】
上述した本発明に係る第１の実施の形態ヘッドホン装置１によれば、右連結部１８に係止突部２２を有し、左連結部２３に弾性片２６を有することにより、弾性片２６が係止突部２２によって係止され、右連結部１８の段部４３に左連結部２３の先端部４２が突き当てられ、左右一対のヘッドバンド５Ａ、５Ｂが開脚した状態で確実に支持される。このため、ヘッドホン装置１は、ユーザーが装着する際に展開された状態に確保され、装着の容易化が図られる。
【００３５】
また、このヘッドホン装置１は、係止突部２２が右ヘッドバンド５Ｂの他端部に一体に突出形成され、弾性片２６が左ヘッドバンド５Ａの他端部に一体に突出形成されることにより、構成の複雑化を招来することがなく、生産効率の向上が図られる。さらに、このヘッドホン装置１は、左右一対のヘッドバンド５Ａ、５Ｂの内部に弾性片２６及び係止突部２２が設けられることにより、ヘッドバンド５Ａ、５Ｂの薄型化が図られる。このため、ヘッドホン装置１は、小型化及び軽量化が図られる。
【００３６】
本発明の第２の実施の形態として示すヘッドホン装置３０は、基本的な構成を第１の実施の形態ヘッドホン装置１と同様とするため、第１の実施の形態ヘッドホン装置１と同一部材には同一符号を付し、詳細な説明を省略する。
【００３７】
第２の実施の形態ヘッドホン装置３０は、一対の支持アーム４Ａ、４Ｂを回動自在に支持する逆Ｕ字状の左右一対のヘッドバンド３１Ａ、３１Ｂとを備えている。
【００３８】
右ヘッドバンド３１Ｂは、図１４に示すように、二股に分岐した他端部に、互いに同形状の右連結部３２が一体に形成されている。この右連結部３２は、右ヘッドバンド３１Ｂの先端部の中央から下方に向かって一体に突出形成された右連結突部３３を有している。この右連結突部３３は、先端部の断面形状が略半円状に形成されている。この右連結突部３３は、中央に支軸が挿通する軸穴３４が穿設されている。また、右連結突部３３は、先端部と軸穴３４との間に位置して変位空間部３６が設けられている。このため、右連結突部３３は、変位空間部３６が設けられたことにより、先端部が弾性体３７とされている。また、この弾性体３７には、外周面の先端部に係止突部３５が幅方向に亘って一体に突出形成されている。右連結突部３３の弾性体３７は、弾性変位され、係止突部３５を左右方向に移動操作する。
【００３９】
また、左ヘッドバンド３１Ａは、図１４に示すように、この二股に分岐した他端部に互いに同形状の左連結部３８が一体に形成されている。この左連結部３８は、左ヘッドバンド３１Ａの先端部の両端から下方に向かってそれぞれ一体に突出形成された一対の左連結突部３９Ａ、３９Ｂを有している。これら一対の左連結突部３９Ａ、３９Ｂは、先端部の断面形状が略半円状に形成されている。これら一対の左連結突部３９Ａ、３９Ｂは、中央に上記支軸が挿通する軸穴が穿設されている。この軸穴は、右ヘッドバンド３１Ｂの右連結部３２に穿設された軸穴３４の穴径寸法と略等しい穴径寸法を有している。
【００４０】
また、この左連結部３８は、図１４に示すように、一対の左連結突部３９Ａ、３９Ｂの間から下方に向かって一体に突出形成された係止突片４０を有している。また、左ヘッドバンド３１Ａは、他端部の下方側に、右ヘッドバンド３１Ｂの係止突部３５を退避させて摩耗から防止する退避溝４１が設けられている。
【００４１】
右ヘッドバンド３１Ｂと左ヘッドバンド３１Ａとは、図４に示すように、右連結突部３２を一対の左連結突部３９Ａ、３９Ｂの間に差し込み、右連結突部３２の軸穴３４と一対の左連結突部３９Ａ、３９Ｂの軸穴に支軸を挿通して互いに回動自在に連結される。このとき、左連結部３８の係止突片４０は、右連結部３２を構成する右連結突部３３の外周面に接触している。
【００４２】
以上のように構成された第２の実施の形態ヘッドホン装置３０は、展開された状態で頭部に装着される。このとき、一対のヘッドバンド３１Ａ、３１Ｂは、図中に矢印Ｐで示すように、開脚操作される。左連結部３８の係止突片４０は、図１５に示すように、右連結部３２の右連結突部３３の外周面を摺動される。このとき、右連結部３２の係止突部３５は、左連結部３８の係止突片４０により押圧される。右連結突部３３の弾性体３７は、変位空間部３６側に弾性変位される。そして、右連結部３２の係止突部３５は、左連結部３８の係止突片４０を回避する方向に移動する。
【００４３】
右連結部３２の係止突部３５は、図１４に示すように、左連結部３８の係止突片４０により規制される。このとき、右連結部３２の段部４３と左連結部３８の先端部４２は突き当たり、この状態で、一対のヘッドバンド３１Ａ、３１Ｂは、開脚した状態に支持される。
【００４４】
また、このヘッドホン装置１は、折り畳まれた状態で携帯される。このとき、一対のヘッドバンド３１Ａ、３１Ｂは、図１６中に矢印Ｑで示すように、閉脚操作される。このとき、左連結部３８の係止突片４０は、図１６に示すように、右連結部３２の右連結突部３３の外周面を摺動される。このとき、右連結部３２の係止突部３５は、左連結部３８の係止突片４０により押圧される。右連結突部３３の弾性体３７は、変位空間部３６側に弾性変位される。そして、右連結部３２の係止突部３５は、左連結部３８の係止突片４０を回避する方向に移動する。
【００４５】
右連結部３２の係止突部３５は、図１５に示すように、左連結部３８の係止突片４０による規制から解除される。右連結部３２の係止突部３５は、左連結部３８の退避溝４１に退避される。
【００４６】
上述した本発明に係る第２の実施の形態ヘッドホン装置３０によれば、右連結部３２に弾性体３７と係止突部３５とを有し、左連結部３８に係止突片４０を有することにより、係止突片４０が係止突部３５によって係止され、右連結部３２の段部４３と左連結部３８の先端部４２が突き当たり、左右一対のヘッドバンド３１Ａ、３１Ｂが開脚した状態で確実に支持される。このため、ヘッドホン装置３０は、ユーザーが装着する際に展開された状態に確保され、装着の容易化が図られる。
【００４７】
また、このヘッドホン装置３０は、係止突部３５が右ヘッドバンド３１Ｂの他端部に一体に突出形成され、係止突片４０が左ヘッドバンド３１Ａの他端部に一体に突出形成されることにより、構成の複雑化を招来することがなく、生産効率の向上が図られる。さらに、このヘッドホン装置３０は、左右一対のヘッドバンド３１Ａ、３１Ｂの内部に係止突片４０及び係止突部３５が設けられることにより、ヘッドバンド３１Ａ、３１Ｂの薄型化が図られる。このため、ヘッドホン装置３０は、小型化及び軽量化が図られる。
【００４８】
なお、上述した実施の形態においては、ヘッドホンプラグが必要なヘッドホン装置１、３０に適用した例を示したが、その他、受信部を内蔵してヘッドホンプラグが必要ないヘッドホン装置に適用しても良い。
【００４９】
【発明の効果】
本発明に係るヘッドホン装置によれば、一方のヘッドバンドの段部に他方のヘッドバンドの先端部が突き当てられ、他方のヘッドバンドの弾性片が変位することによって一方のヘッドバンドの係止突部を乗り越え、係止突部に係止されることにより、一対のヘッドバンドが開脚状態に維持される。
また、本発明に係るヘッドホン装置によれば、一方のヘッドバンドの段部に他方のヘッドバンドの先端部が突き当てられ、他方のヘッドバンドの係止突片が弾性体が変位することによって一方のヘッドバンドの係止突部を乗り越え、係止突部に係止することにより、一対のヘッドバンドが開脚状態に維持される。
このため、ヘッドホン装置は、ユーザーが装着する際に展開された状態に確保され、装着の容易化が図られる。
【００５０】
また、本発明に係るヘッドホン装置は、係止突部又は弾性体に形成されている係止突部が一方のヘッドバンドの他端部に一体に突出形成され、弾性片又は係止突片が他方のヘッドバンドの他端部に一体に突出形成されることにより、構成の複雑化を招来することなく、生産効率の向上が図られる。さらに、ヘッドホン装置は、一対のヘッドバンドの内部に係止突部又は弾性体に形成されている係止突部及び弾性片又は係止突片が設けられることにより、ヘッドバンドの薄型化が図られる。
このため、ヘッドホン装置は、小型化及び軽量化が図られる。
0003896603.tif 000002
【図１】  本発明に係る第1の実施の形態ヘッドホン装置を示す斜視図である。
【図２】  同ヘッドホン装置を示す正面図である。
【図３】  同ヘッドホン装置を示す要部側面図である。
【図４】  同ヘッドホン装置を構成するヘッドバンドを示す要部断面図である。
【図５】  上記ヘッドバンドを構成する右連結部を示す底面図である。
【図６】  上記右連結部を示す断面図である。
【図７】  上記ヘッドバンドを構成する左連結部を示す底面図である。
【図８】  上記左連結部を示す断面図である。
【図９】  開脚操作される上記ヘッドバンドを示す要部断面図である。
【図１０】  開脚操作される上記ヘッドバンドを示す要部断面図である。
【図１１】  開脚した状態に支持された上記ヘッドバンドを示す要部断面図である。
【図１２】  閉脚操作される上記ヘッドバンドを示す要部断面図である。
【図１３】  折り畳まれた状態を示すヘッドバンドを示す正面図である。
【図１４】  本発明に係る第２の実施の形態ヘッドホン装置を構成するヘッドバンドを示す要部断面図である。
【図１５】  開脚操作される上記ヘッドバンドを示す要部断面図である。
【図１６】  閉脚操作される上記ヘッドバンドを示す要部断面図である。
【符号の説明】
１  ヘッドホン装置、２Ａ，２Ｂ  ハウジング、４Ａ，４Ｂ  支持アーム、５Ａ，５Ｂ  ヘッドバンド、１８  右連結部、２２  係止突部、２３  左連結部、２６  弾性片
【図１】
0003896603.tif 000003
【図２】
0003896603.tif 000004
【図３】
0003896603.tif 000005
【図４】
0003896603.tif 000006
【図５】
0003896603.tif 000007
【図６】
0003896603.tif 000008
【図７】
0003896603.tif 000009
【図８】
0003896603.tif 000010
【図９】
0003896603.tif 000011
【図１０】
0003896603.tif 000012
【図１１】
0003896603.tif 000013
【図１２】
0003896603.tif 000014
【図１３】
0003896603.tif 000015
【図１４】
0003896603.tif 000016
【図１５】
0003896603.tif 000017
【図１６】
0003896603.tif 000018